(57)【要約】  半導体集積回路において、例えばＭＰＥＧ２のビデオデコード処理では、Ｉ復号化部１００５はＩフレームをデコードし、Ｐ復号化部１００６はＰフレームをデコードする。判定部１００３は入力選択部１００４の出力先を切り替える。入力選択部１００４がＩ復号化部１００５を選択した場合、電圧決定部２００９はＩ復号化部１００５の動作を保証する最低電圧Ｖ＃１を電源電圧供給装置２０１０に設定し、ＰＩ復号化部１００６が選択された場合、電圧決定部２００９はＰ復号化部１００６動作保証最低電圧Ｖ＃２（Ｖ＃１＜Ｖ＃２）を設定する。
2013160971.tif 000002
【特許請求の範囲】
【請求項１】
電源電圧値を電源電圧発生装置に出力し、その出力値に基づいて前記電源電圧発生装置からの電源の供給を受けて動作する半導体集積回路であって、
第１のデータ処理を行うか、前記第１のデータ処理とは異なる第２のデータ処理を行うかを判定する判定部と、
前記判定部の判定結果に従って前記第１のデータ処理又は前記第２のデータ処理を行う処理部と、
前記判定部の判定結果に基づき、前記電源電圧発生装置に出力する電源電圧値を、前記判定部が第１のデータ処理を行うと判定したとき第１の電源電圧値と決定し、前記判定部が前記第２のデータ処理を行うと判定したとき前記第１の電源電圧値とは異なる値の第２の電源電圧値と決定する電圧決定部と、
前記処理部が前記第１のデータ処理を行う際は前記電圧決定部が決定した第１の電源電圧値を前記電源電圧発生装置に出力し、前記処理部が前記第２のデータ処理を行う際は前記電圧決定部が決定した第２の電源電圧値を前記電源電圧発生装置に出力する電源電圧値出力部とを備えた
ことを特徴とする半導体集積回路。
【請求項２】
電源電圧値を電源電圧発生装置に出力し、その出力値に基づいて前記電源電圧発生装置からの電源の供給を受けて動作する半導体集積回路であって、
第１の処理と、前記第１の処理とは異なる第２の処理とを選択して行う処理部と、
前記処理部が前記第１の処理を行う際は第１の電源電圧値を前記電源電圧発生装置に出力し、前記処理部が前記第２の処理を行う際は前記第１の電源電圧値とは異なる値の第２の電源電圧値を前記電源電圧発生装置に出力する電源電圧値出力部とを備えた
ことを特徴とする半導体集積回路。
【請求項３】
請求項１又は２記載の半導体集積回路であって、
前記電源電圧値出力部は、
前記第１の電源電圧値からこの第１の電源電圧値よりも値の大きい第２の電源電圧値を出力する場合には、予め、前記第１の電源電圧値と前記第２の電源電圧値との間の電圧値である第３の電源電圧値を前記電源電圧発生装置に出力し、その後、前記第２の電源電圧値を出力し、
前記処理部は、前記電源電圧値出力部が前記第３の電源電圧値を出力した後に前記第２の処理を開始する
ことを特徴とする半導体集積回路。
【請求項４】
請求項２又は３記載の半導体集積回路であって、
前記処理部は、
前記第１の処理及び第２の処理として、各々、データ処理を行う
ことを特徴とする半導体集積回路。
【請求項５】
前記請求項４記載の半導体集積回路であって、
前記処理部で第１の処理を行うか第２の処理を行うかを判定する判定部を備え、
前記処理部は、
前記判定部の判定結果に従って第１の処理又は第２の処理を行う
ことを特徴とする半導体集積回路。
【請求項６】
前記請求項５記載の半導体集積回路であって、
前記電源電圧発生装置に出力する電源電圧値を決定する電圧決定部を備え、
前記電圧決定部は、
前記判定部の判定結果に基づき、前記判定部が第１の処理を行うと判定したとき前記第１の電源電圧値と決定し、前記判定部が前記第２の処理を行うと判定したとき前記第２の電源電圧値と決定する
ことを特徴とする半導体集積回路。
【請求項７】
前記請求項４記載の半導体集積回路であって、
前記処理部は、
前記第１の処理及び第２の処理として、各々、符号化データをデータ復号する処理を行う
ことを特徴とする半導体集積回路。
【請求項８】
前記請求項５又は６記載の半導体集積回路であって、
前記処理部は、
前記第１の処理及び第２の処理として、各々、符号化データをデータ復号する処理を行う
ことを特徴とする半導体集積回路。
【請求項９】
前記請求項８記載の半導体集積回路であって、
前記符号化データは符号化情報を含み、
前記判定部は、
前記符号化データに含まれる符号化情報に基づいて、第１の処理を行うか第２の処理を行うかを判定する
ことを特徴とする半導体集積回路。
【請求項１０】
前記請求項４記載の半導体集積回路であって、
前記処理部は、
前記第１の処理及び第２の処理として、各々、データを符号化する処理を行う
ことを特徴とする半導体集積回路。
【請求項１１】
前記請求項１０記載の半導体集積回路であって、
入力されるデータに対して第１の符号化処理を行うか第２の符号化処理を行うかを決定する符号化決定部を備え、
前記処理部は、
前記符号化決定部の決定に従って第１の符号化処理又は第２の符号化処理を行う
ことを特徴とする半導体集積回路。
【請求項１２】
前記請求項１１記載の半導体集積回路であって、
前記電源電圧発生装置に出力する電源電圧値を決定する電圧決定部を備え、
前記電圧決定部は、
前記符号化決定部の決定に基づき、前記符号化決定部が第１の符号化処理を行うと決定したとき前記第１の電源電圧値と決定し、前記符号化決定部が前記第２の符号化処理を行うと判定したとき前記第２の電源電圧値と決定する
ことを特徴とする半導体集積回路。
【請求項１３】
電源電圧値を電源電圧発生装置に出力し、その出力値に基づいて前記電源電圧発生装置からの電源の供給を受けて動作する半導体集積回路であって、
入力されるデータに対して第１の符号化処理を行うか、前記第１の符号化処理とは異なる第２の符号化処理を行うかを決定する符号化決定部と、
前記符号化決定部の決定に従って前記第１の符号化処理又は前記第２の符号化処理を行う処理部と、
前記符号化決定部の決定に基づき、前記電源電圧発生装置に出力する電源電圧値を、前記符号化決定部が第１の符号化処理を行うと決定したとき第１の電源電圧値と決定し、前記符号化決定部が前記第２の符号化処理を行うと決定したとき前記第１の電源電圧値とは異なる値の第２の電源電圧値と決定する電圧決定部と、
前記処理部が前記第１の符号化処理を行う際は前記電圧決定部が決定した第１の電源電圧値を前記電源電圧発生装置に出力し、前記処理部が前記第２の符号化処理を行う際は前記電圧決定部が決定した第２の電源電圧値を前記電源電圧発生装置に出力する電源電圧値出力部とを備えた
ことを特徴とする半導体集積回路。
【発明の詳細な説明】
【技術分野】
【０００１】
本発明は、一般に、供給される電圧を調整可能な半導体集積回路、特に、処理量に応じて供給される電圧を調整可能な半導体集積回路の改良に関する。
【背景技術】
【０００２】
図１を用いて従来の映像復号化装置１０００の構成を説明する。尚、ＩフレームとＰフレームの具体的な復号化処理については、ＩＳＯ／ＩＥＣ １３８１８−２参照。【０００３】
映像復号化装置１０００は、ＩＳＯ／ＩＥＣ １３８１８−２準拠の符号化ストリーム（以下、ＭＰＥＧ２ストリームとする）を復号化する。図９を用いて代表的なＭＰＥＧ２ストリームの構成を説明する。ＭＰＥＧ２ストリームは、複数のｇｒｏｕｐ ｏｆ ｐｉｃｔｕｒｅｓ（以下ＧＯＰという）より構成される。そして、ＧＯＰは複数のフレーム（Ｆｒａｍｅ）から構成され、フレームは複数のスライス（Ｓｌｉｃｅ）から構成される。更に、スライスは複数のｍａｃｒｏｂｌｏｃｋ（以下ＭＢという）から構成される。【０００４】
各ＭＢを符号化する時、予測なし、片方向予測（前方向予測又は後ろ方向予測）、双方向予測のいずれかが用いられる。ＭＢに含まれるｍａｃｒｏｂｌｏｃｋ＿ｔｙｐｅパラメータにより、どの予測方式で符号化されているか知ることができる。ＭＢの復号化する処理量は、予測なし＜片方向予測＜双方向予測となる。【０００５】
各フレームは、Ｉピクチャー、Ｐピクチャー、Ｂピクチャーの３種類ある。ここでは、フレームとピクチャーとが同じ単位として説明する。フレームに含まれるＰｉｃｔｕｒｅ ｈｅａｄｅｒのｐｉｃｔｕｒｅ＿ｃｏｄｉｎｇ＿ｔｙｐｅパラメータ（符号化情報）により、Ｉ、Ｐ又はＢピクチャーの何れのピクチャーで符号化されているかを知ることができる。【０００６】
Ｉピクチャーに含まれるＭＢは予測なしで符号化されたＭＢのみを含む。Ｐピクチャーは、予測なしと前方向予測で符号化されたＭＢを含む。Ｂピクチャーは、予測なし、片方向予測、双方向予測で符号化されたＭＢを含む。そのため、各フレームの最大処理量はＩピクチャー＜Ｐピクチャー＜Ｂピクチャーとなる。【０００７】
以下、ＭＰＥＧ２ストリームは、ＩピクチャーとＰピクチャーのみを含むものとして説明する。また、ＰピクチャーのＭＢは全て前方向予測で符号化されているとする。【０００８】
電圧供給装置１０１０は、電圧供給端子１００１に所定の電圧を供給する。符号化映像データ入力部１００２より入力されたＭＰＥＧ２ストリームは、判定部１００３と入力選択部１００４とに入力される。判定部１００３は、符号化映像データ入力部１００２より入力されるＭＰＥＧ２ストリームの各フレームのＰｉｃｔｕｒｅ ｈｅａｄｅｒに含まれるｐｉｃｔｕｒｅ＿ｃｏｄｉｎｇ＿ｔｙｐｅに基づいてフレームの種類を判定する。そして、Ｉピクチャーが入力されるとき、Ｉ復号化部１００５にＭＰＥＧ２ストリームを出力するように入力選択部１００４を制御する入力制御信号を出力する。また、判定部１００３は、符号化映像データ入力部１００２よりＰピクチャーが入力されるとき、Ｐ復号化部１００６にＭＰＥＧ２ストリームを出力するように入力選択部１００４を制御する入力制御信号を出力する。更に、判定部１００３は、Ｉ復号化部１００５より映像データが出力される時、その映像データを映像データ出力部１００８に出力するように出力選択部１００７を制御する出力制御信号を出力する。また、Ｐ復号化部１００６より映像データが出力される時、その映像データを映像データ出力部１００８に出力するように出力選択部１００７を制御する出力制御信号を出力する。Ｉ復号化部１００５は、入力選択部１００４より入力されたＭＰＥＧ２ストリームを映像データ（例えば、ＩＴＵ−Ｒ ＢＴ．６０１準拠の映像データ）に復号化し、映像データ出力選択部１００７に出力する。Ｐ復号化部１００６は、入力選択部１００４より入力されたＭＰＥＧ２ストリームを映像データに復号化し、出力選択部１００７に出力する。出力選択部１００７は映像データを映像データ出力部１００８に出力する。
【先行技術文献】
【特許文献】
【０００９】
【特許文献１】特開２００８−１９３０８０号公報（第１２頁、図３）
【発明の概要】
【発明が解決しようとする課題】
【００１０】
しかしながら、前記従来の半導体集積回路の電力制御方式では、次の欠点がある。以下、図１と図２を用いて従来の電力制御方式を説明する。【００１１】
電圧供給装置１０１０と電圧供給端子１００１との間に流れる電流により電圧が降下するため、電圧供給端子１００１の電圧Ｖｄｄ’［Ｖ］は、電圧供給装置１０１０で供給される電圧Ｖｄｄ［Ｖ］より低くなる。電圧供給装置１０１０と電圧供給端子１００１との間に流れる電流は、Ｉ復号化部１００５動作時とＰ復号化部１００６動作時とで異なる。処理量が多いＰ復号化部１００６が選択されている時の方が、処理量が少ないＩ復号化部１００５が選択されているときよりも電流が多く流れ、その分、降下する電圧も多くなる。【００１２】
図２は、符号化映像データ入力部１００２に、Ｆｒａｍｅ＃０（Ｉピクチャー）、Ｆｒａｍｅ＃１（Ｐピクチャー）、Ｆｒａｍｅ＃２（Ｐピクチャー）の順番にＭＰＥＧ２ストリームが入力した時の、電圧供給装置１０１０と電圧供給端子１００１との間に流れる電流Ｉｄｄ［Ａ］と、電圧供給端子１００１の電圧Ｖｄｄ’［Ｖ］を示したグラフである。Ｉピクチャー（Ｆｒａｍｅ＃０）入力時の方が、Ｐピクチャー（Ｆｒａｍｅ＃１，Ｆｒａｍｅ＃２）入力時より電流Ｉｄｄ［Ａ］が小さいため、Ｉピクチャーの電圧降下分Ｖｄｗｎ＿Ｉ［Ｖ］はＰピクチャーの電圧降下分Ｖｄｗｎ＿Ｐ［Ｖ］より小さくなる（Ｖｄｗｎ＿Ｉ＜Ｖｄｗｎ＿Ｐ）。そのため、電圧供給装置１０１０が供給する電圧Ｖｄｄ［Ｖ］は、映像復号化装置１０００が正しく動作する下限電圧Ｖｄｄ＿ｍｉｎ［Ｖ］にＰフレームの電圧降下分Ｖｄｗｎ＿Ｐ［Ｖ］を加えた値以上に設定される。【００１３】
以上のように、従来の映像復号化装置１０００では、Ｉピクチャー入力時には、Ｖｄｗｎ＿Ｐ − Ｖｄｗ＿Ｉ［Ｖ］分必要以上に電圧が電圧供給装置１０１０より供給され、その分、余分に電力が消費される課題がある。【００１４】
また、Ｆｒａｍｅ＃０からＦｒａｍｅ＃１の変化点では、図２に示すように、電圧供給装置１０１０から供給される電流Ｉｄｄ［Ａ］は変動する。この変動が大きい場合、映像復号化装置１０００から離れた場所にある電圧供給装置１０１０では、増加した電流の供給が間に合わない。そのため、映像復号化装置１０００の直近にコンデンサー１００９を設け、電流供給を補っている。【００１５】
必要となるコンデンサーの容量は、電流の単位時間あたりの増加量に応じて大きくする必要がある。一方、近年、機器の高機能化に伴い、これらの電流の単位時間あたりの増加量が増加傾向にある。このため、容量の大きい高価なコンデンサーの使用によるコスト増や、よりサイズの大きなコンデンサーの使用による実装面積の増加によるコスト増という課題が生じる。【００１６】
本発明の目的は、半導体集積回路において、複数の異なる処理が行われる場合には、その各処理に応じた電源電圧が供給されるように電源電圧を設定して、低消費電力化を図ることにある。【００１７】
また、本発明の更なる目的は、前記半導体集積回路への電流供給を補うコンデンサを付加する場合には、その必要とするコンデンサの容量又は個数を低減して、コスト低減化、小型化を図ることにある。
【課題を解決するための手段】
【００１８】
前記目的を達成するため、本発明では、半導体集積回路内で行われる処理の種類を判定し、その判定した処理の種類別に電源電圧を設定することとする。また、実行される処理の切り替わり時には、電源電圧を緩やかに変化させることとして、コンデンサの容量又は個数を低減する。【００１９】
具体的に、請求項１記載の発明の半導体集積回路は、電源電圧値を電源電圧発生装置に出力し、その出力値に基づいて前記電源電圧発生装置からの電源の供給を受けて動作する半導体集積回路であって、第１のデータ処理を行うか、前記第１のデータ処理とは異なる第２のデータ処理を行うかを判定する判定部と、前記判定部の判定結果に従って前記第１のデータ処理又は前記第２のデータ処理を行う処理部と、前記判定部の判定結果に基づき、前記電源電圧発生装置に出力する電源電圧値を、前記判定部が第１のデータ処理を行うと判定したとき第１の電源電圧値と決定し、前記判定部が前記第２のデータ処理を行うと判定したとき前記第１の電源電圧値とは異なる値の第２の電源電圧値と決定する電圧決定部と、前記処理部が前記第１のデータ処理を行う際は前記電圧決定部が決定した第１の電源電圧値を前記電源電圧発生装置に出力し、前記処理部が前記第２のデータ処理を行う際は前記電圧決定部が決定した第２の電源電圧値を前記電源電圧発生装置に出力する電源電圧値出力部とを備えたことを特徴とする。【００２０】
請求項２記載の発明の半導体集積回路は、電源電圧値を電源電圧発生装置に出力し、その出力値に基づいて前記電源電圧発生装置からの電源の供給を受けて動作する半導体集積回路であって、第１の処理と、前記第１の処理とは異なる第２の処理とを選択して行う処理部と、前記処理部が前記第１の処理を行う際は第１の電源電圧値を前記電源電圧発生装置に出力し、前記処理部が前記第２の処理を行う際は前記第１の電源電圧値とは異なる値の第２の電源電圧値を前記電源電圧発生装置に出力する電源電圧値出力部とを備えたことを特徴とする。【００２１】
請求項３記載の発明は、前記請求項１又は２記載の半導体集積回路であって、前記電源電圧値出力部は、前記第１の電源電圧値からこの第１の電源電圧値よりも値の大きい第２の電源電圧値を出力する場合には、予め、前記第１の電源電圧値と前記第２の電源電圧値との間の電圧値である第３の電源電圧値を前記電源電圧発生装置に出力し、その後、前記第２の電源電圧値を出力し、前記処理部は、前記電源電圧値出力部が前記第３の電源電圧値を出力した後に前記第２の処理を開始することを特徴とする。【００２２】
請求項４記載の発明は、前記請求項２又は３記載の半導体集積回路であって、前記処理部は、前記第１の処理及び第２の処理として、各々、データ処理を行うことを特徴とする。【００２３】
請求項５記載の発明は、前記請求項４記載の半導体集積回路であって、前記処理部で第１の処理を行うか第２の処理を行うかを判定する判定部を備え、前記処理部は、前記判定部の判定結果に従って第１の処理又は第２の処理を行うことを特徴とする。【００２４】
請求項６記載の発明は、前記請求項５記載の半導体集積回路であって、前記電源電圧発生装置に出力する電源電圧値を決定する電圧決定部を備え、前記電圧決定部は、前記判定部の判定結果に基づき、前記判定部が第１の処理を行うと判定したとき前記第１の電源電圧値と決定し、前記判定部が前記第２の処理を行うと判定したとき前記第２の電源電圧値と決定することを特徴とする。【００２５】
請求項７記載の発明は、前記請求項４記載の半導体集積回路であって、前記処理部は、前記第１の処理及び第２の処理として、各々、符号化データをデータ復号する処理を行うことを特徴とする。【００２６】
請求項８記載の発明は、前記請求項５又は６記載の半導体集積回路であって、前記処理部は、前記第１の処理及び第２の処理として、各々、符号化データをデータ復号する処理を行うことを特徴とする。【００２７】
請求項９記載の発明は、前記請求項８記載の半導体集積回路であって、前記符号化データは符号化情報を含み、前記判定部は、前記符号化データに含まれる符号化情報に基づいて、第１の処理を行うか第２の処理を行うかを判定することを特徴とする。【００２８】
請求項１０記載の発明は、前記請求項４記載の半導体集積回路であって、前記処理部は、前記第１の処理及び第２の処理として、各々、データを符号化する処理を行うことを特徴とする。【００２９】
請求項１１記載の発明は、前記請求項１０記載の半導体集積回路であって、入力されるデータに対して第１の符号化処理を行うか第２の符号化処理を行うかを決定する符号化決定部を備え、前記処理部は、前記符号化決定部の決定に従って第１の符号化処理又は第２の符号化処理を行うことを特徴とする。【００３０】
請求項１２記載の発明は、前記請求項１１記載の半導体集積回路であって、前記電源電圧発生装置に出力する電源電圧値を決定する電圧決定部を備え、前記電圧決定部は、前記符号化決定部の決定に基づき、前記符号化決定部が第１の符号化処理を行うと決定したとき前記第１の電源電圧値と決定し、前記符号化決定部が前記第２の符号化処理を行うと判定したとき前記第２の電源電圧値と決定することを特徴とする。【００３１】
請求項１３記載の発明の半導体集積回路は、電源電圧値を電源電圧発生装置に出力し、その出力値に基づいて前記電源電圧発生装置からの電源の供給を受けて動作する半導体集積回路であって、入力されるデータに対して第１の符号化処理を行うか、前記第１の符号化処理とは異なる第２の符号化処理を行うかを決定する符号化決定部と、前記符号化決定部の決定に従って前記第１の符号化処理又は前記第２の符号化処理を行う処理部と、前記符号化決定部の決定に基づき、前記電源電圧発生装置に出力する電源電圧値を、前記符号化決定部が第１の符号化処理を行うと決定したとき第１の電源電圧値と決定し、前記符号化決定部が前記第２の符号化処理を行うと決定したとき前記第１の電源電圧値とは異なる値の第２の電源電圧値と決定する電圧決定部と、前記処理部が前記第１の符号化処理を行う際は前記電圧決定部が決定した第１の電源電圧値を前記電源電圧発生装置に出力し、前記処理部が前記第２の符号化処理を行う際は前記電圧決定部が決定した第２の電源電圧値を前記電源電圧発生装置に出力する電源電圧値出力部とを備えたことを特徴とする。【００３２】
以上により、本発明では、処理部が判定部の判定結果に従って第１のデータ処理を行う場合には、電圧決定部がこれに対応して、供給される電源電圧を第１の電源電圧値に決定し、一方、処理部が判定部の判定結果に従って第２のデータ処理を行う場合には、電圧決定部がこれに対応して、供給される電源電圧を第２の電源電圧値に決定するので、常に適切な電源電圧の供給状態となる。従って、従来のように、必要以上の電圧供給の状態がなく、余分な電力消費が削減されることになる。【００３３】
また、処理部でのデータ処理の種類の変更に伴って、供給される電源電圧が低い電圧値から高い電圧値に変更される場合には、その低電圧値と高電圧値との間の中間電圧が先ず供給され、その後にその高電源電圧値が供給されるので、半導体集積回路に電流供給を補うコンデンサが付加される場合にも、その必要とするコンデンサを大容量化する必要がなく、また多個数を要することがない。
【発明の効果】
【００３４】
以上説明したように、本発明によれば、実行する処理の種類に応じて、供給さえる電源電圧を変更したので、半導体集積回路の低消費電力化が可能である。【００３５】
また、半導体集積回路に対して電流供給を補うコンデンサを付加する場合には、その必要とするコンデンサの容量又は個数を低減できて、コスト低減化、小型化を図ることが可能である。
【図面の簡単な説明】
【００３６】
【図１】図１は従来の映像復号化装置の概略構成を示す図である。
【図２】図２は同映像復号化装置での電圧調整方法の説明図である。
【図３】図３は本発明の実施形態１の映像復号化装置の全体概略構成を示す図である。
【図４】図４は同映像復号化装置での電圧調整方法の説明図である。
【図５】図５は本発明の実施形態２の映像復号化装置の全体概略構成を示す図である。
【図６】図６は同映像復号化装置での電圧調整方法の説明図である。
【図７】図７は本発明の実施形態３の映像符号化装置の全体概略構成を示す図である。
【図８】図８は同映像復号化装置での電圧調整方法の説明図である。
【図９】図９はＭＥＰＧ２ストリームの構成の説明図である。
【図１０】図１０は本発明の実施形態４の映像符号化装置の全体概略構成を示す図である。
【図１１】図１１は同映像符号化装置での電圧調整方法の説明図である。
【発明を実施するための形態】
【００３７】
以下、本発明の半導体集積回路の実施形態を図面を参照しつつ説明する。
【００３８】
（実施形態１）
図３を用いて、実施形態１の映像復号化装置２０００を説明する。尚、図１と同じものについては、同じ番号を記載しその説明を省略する。
【００３９】
電圧供給装置２０１０は、電源電圧値出力部２００８から、その内部に有する電圧決定部２００９（後述）で決定された電源電圧値を受け、この受けた電源電圧値を電圧供給端子１００１に供給する。前記電圧決定部２００９は、判定部１００３の判定結果に基づいて、電圧供給装置２０１０が供給する設定電源電圧Ｖｉｎｄｅｘ２０１１を決定する。
【００４０】
図４は、符号化映像データ入力部１００２に、Ｆｒａｍｅ＃０（Ｉピクチャー）、Ｆｒａｍｅ＃１（Ｐピクチャー）、Ｆｒａｍｅ＃２（Ｐピクチャー）の順番にＭＰＥＧ２ストリームが入力された時の、電圧供給装置２０１０と電圧供給端子１００１との間に流れる電流Ｉｄｄ［Ａ］と、電圧供給端子１００１の電圧Ｖｄｄ’［Ｖ］とを示したグラフである。Ｉピクチャー（Ｆｒａｍｅ＃０）が入力された場合のＩ復号化部（処理部）１００５によるＩ復号処理（第１のデータ処理）時での電流Ｉｄｄ０［Ａ］の方が、そのＩピクチャー（Ｆｒａｍｅ＃０）よりもＰピクチャー（Ｆｒａｍｅ＃１，Ｆｒａｍｅ＃２）が入力された場合の処理量が多いＰ復号化部（処理部）１００６によるＰ復号処理（第２のデータ処理）時での電流Ｉｄｄ１［Ａ］より電流が少ないため、Ｉピクチャー処理時での電圧降下分Ｖｄｗｎ＿Ｉ［Ｖ］はＰピクチャー処理時での電圧降下分Ｖｄｗｎ＿Ｐ［Ｖ］より小さくなる（Ｖｄｗｎ＿Ｉ＜Ｖｄｗｎ＿Ｐ）。Ｉピクチャー入力（Ｆｒａｍｅ＃０）時には、電圧決定部２００９は、電圧供給装置２０１０が供給する電圧Ｖｄｄ［Ｖ］が、動作下限電圧Ｖｍｉｎ［Ｖ］にＩピクチャー処理時での電圧降下分Ｖｄｗｎ＿Ｉ［Ｖ］を加えた値（Ｖｍｉｎ＋Ｖｄｗｎ＿Ｉ ［Ｖ］）（第１の電源電圧値）になるように設定電圧Ｖｉｎｄｅｘ２０１１を決定する。また、Ｐピクチャー入力時（Ｆｒａｍｅ＃１，Ｆｒａｍｅ＃２）には、電圧決定部２００９は、電圧供給装置２０１０が供給する電圧Ｖｄｄ［Ｖ］が、動作下限電圧Ｖｍｉｎ［Ｖ］にＰピクチャー処理時での電圧降下分Ｖｄｗｎ＿Ｐ［Ｖ］を加えた値（Ｖｍｉｎ＋Ｖｄｗｎ＿Ｐ ［Ｖ］）（第２の電源電圧値）になるように設定電圧Ｖｉｎｄｅｘ２０１１を決定する。前記２つの電圧降下分Ｖｄｗｎ＿Ｉ［Ｖ］、Ｖｄｗｎ＿Ｐ［Ｖ］の各値は、常に前記条件を満たし得る値が予め電圧決定部２００９に記録されている。
【００４１】
以上のように、従来の電力制御方式では、常に電圧供給装置が電源電圧Ｖｍｉｎ＋Ｖｄｗｎ＿Ｐ ［Ｖ］を供給していたのに対し、本実施形態１の電力制御方式では、Ｉピクチャー処理時には、電圧供給装置が電圧Ｖｍｉｎ＋Ｖｄｗｎ＿Ｐ ［Ｖ］より低い電源電圧Ｖｍｉｎ＋Ｖｄｗｎ＿Ｉ ［Ｖ］を供給する。これにより、消費電力を抑えることができる。
【００４２】
（実施形態２）
次に、図５を用いて、本発明の実施形態２の映像復号化装置５０００を説明する。尚、図３と同じ構成については、同じ番号を記載し、その説明を省略する。
【００４３】
遅延部５０２１は、符号化映像データ入力部１００２より入力されるＭＰＥＧ２ストリームを設定時間Ｄだけ遅延させて、入力選択部１００４にその遅延させたＭＰＥＧ２ストリームを出力する。遅延部５０２２は、判定部１００３が出力する入力制御信号を設定時間Ｄだけ遅延させて入力選択部１００４に出力する。遅延部５０２３は、判定部１００３が出力する出力制御信号を設定時間Ｄだけ遅延させて出力選択部１００７に出力する。
【００４４】
図６を用いて、本実施形態２の電源電圧値出力部５００８に内蔵する電圧決定部５００９の動作を説明する。図６は、Ｉピクチャー（Ｆｒａｍｅ＃０）、Ｐピクチャー（Ｆｒａｍｅ＃１）の順番にＭＰＥＧ２ストリームが符号化映像データ入力部１００２に入力された時に、電圧決定部５００９が決定する設定電圧Ｖｉｎｄｅｘ２０１１、電圧供給部２０１０の供給電圧Ｖｄｄ［ｖ］、電圧供給端子１００１の電圧Ｖｄｄ’［Ｖ］、そして、電圧供給部２０１０と電圧供給端子１００１との間に流れる電流Ｉｄｄ［Ａ］の動きを示したものである。符号化映像データ入力部１００２と入力選択部１００４との両方に、Ｉピクチャー（Ｆｒａｍｅ＃０）が入力されている時間Ｔ１までの期間では、前記実施形態１の映像復号化装置２０００で説明したように、動作下限電圧Ｖｍｉｎ［Ｖ］にＩピクチャーの電圧降下分Ｖｄｗｎ＿Ｉ［Ｖ］を加えた電圧値（Ｖｍｉｎ＋Ｖｄｗｎ＿Ｉ ［Ｖ］）が電圧供給部２０１０より供給されるように、電圧決定部５００９は設定電圧Ｖｉｎｄｅｘ２０１１を決定する。
【００４５】
また、符号化映像データ入力部１００２と入力選択部１００４との両方に、Ｐピクチャー（Ｆｒａｍｅ＃１）が入力されている時間Ｔ２以降の期間では、前記実施形態１の映像復号化装置２０００で説明したように、動作下限電圧Ｖｍｉｎ［Ｖ］にＰピクチャーの電圧降下分Ｖｄｗｎ＿Ｐ［Ｖ］を加えた電圧値（Ｖｍｉｎ＋Ｖｄｗｎ＿Ｐ［Ｖ］）が電圧供給部２０１０より供給されるように、電圧決定部５００９は設定電圧Ｖｉｎｄｅｘ２０１１を決定する。
【００４６】
そして、符号化映像データ入力部１００２にＰフレーム（Ｆｒａｍｅ＃１）が、入力選択部１００４にＩピクチャー（Ｆｒａｍｅ＃０）が入力されている時間Ｔ１〜Ｔ２の期間、すなわち、３つの遅延部５０２１、５０２２、５０２３が遅延させる設定時間Ｄの間では、電圧Ｖｍｉｎ＋Ｖｄｗｎ＿Ｉ ［Ｖ］よりも高く、かつ、電圧Ｖｍｉｎ＋Ｖｄｗｎ＿Ｐ ［Ｖ］）よりも低い電圧Ｖｍｉｎ＋Ｖｄｗｎ＿Ｉ ＋Ｖｕｐ［Ｖ］（第３の電源電圧値）が電圧供給部２０１０より供給されるように、電圧決定部５００９は設定電圧Ｖｉｎｄｅｘ２０１１を決定する。
【００４７】
次に、電圧供給端子１００１の電圧について説明する。時間Ｔ１までの期間と時間Ｔ２以降の期間では、実施形態１の映像復号化装置２０００で説明したように、電圧供給端子１００１の電圧は動作下限電圧Ｖｍｉｎ［Ｖ］となる。また、時間Ｔ１から時間Ｔ２までの期間Ｄの電圧供給端子１００１の電圧は、動作下限電圧Ｖｍｉｎ［Ｖ］と同じかそれより高い値になる。
【００４８】
次に、電圧供給部２０１０と電圧供給端子１００１との間に流れる電量Ｉｄｄ［Ａ］について説明する。時間Ｔ１までの期間と時間Ｔ２以降の期間では、実施形態１の映像復号化装置２０００で説明したように、それぞれ、電流Ｉｄｄ０［Ａ］と電流Ｉｄｄ１［Ａ］とが流れる。時間Ｔ１〜Ｔ２の期間Ｄでは、時間Ｔ１までの期間と同じＩピクチャーの処理をしているが、電圧供給装置２０１０が供給する電圧が微小電圧Ｖｕｐ［Ｖ］だけ高いため、電流Ｉｄｄ０［Ａ］よりも高く、電流Ｉｄｄ１［Ａ］よりも低い電流Ｉｄｄ２［Ａ］が流れる。２つの電圧降下分Ｖｄｗｎ＿Ｉ［Ｖ］、Ｖｄｗｎ＿Ｐ［Ｖ］の各値は、常に前記条件を満たし得る値が予め電圧決定部５００９に記録されている。
【００４９】
以上のように、本実施形態２の映像復号化装置５０００では、電圧供給端子１００１に流れる電流が、電流Ｉｄｄ２−Ｉｄｄ０［Ａ］と電流Ｉｄｄ１−Ｉｄｄ２［Ａ］と２回に分けて増加する。そのため、一度に電流がＩｄｄ１−Ｉｄｄ０［Ａ］分増加する従来の映像復号化装置に比べて、コンデンサー１００９の容量又は数を少なくすることが可能となる。
【００５０】
（実施形態３）
前記実施形態１及び２では、符号化映像データを復号する映像復号化装置に本発明を適用した例を説明したが、本実施形態では、符号化前の元映像データを符号化する映像符号化装置に本発明を適用した例を説明する。
【００５１】
図７を用いて、本発明の実施形態３の映像符号化装置７０００を説明する。尚、図１、図３及び図５と同じ構成については、同じ番号を記載し、その説明を省略する。
【００５２】
映像データ入力部７００２は、映像データ（例えば、ＩＴＵ−Ｒ ＢＴ．６０１準拠の映像データ）を入力する。タイプ決定部（符号化決定部）７００３は、映像データ入力部７００２から入力された映像データのフレーム毎に符号化するタイプを任意の順番又は予め定めた順番に決定する。入力選択部７００４は、タイプ決定部７００３でＩピクチャーが選択された場合、映像データ入力部７００２から入力された映像フレームをＩ符号化部（処理部）７００５に出力する。また、入力選択部７００４は、タイプ決定部７００３でＰピクチャーが選択された場合、映像データ入力部７００２から入力された映像フレームをＰ符号化部（処理部）７００６に出力する。Ｉ符号化部７００５は、入力選択部７００４から入力された映像データをＩピクチャー（ｉｎｔｒａ−ｃｏｄｅｄ ｐｉｃｔｕｒｅ）タイプでＭＰＥＧ２ストリームに符号化する。また、Ｐ符号化部７００６は、入力選択部７００４から入力された映像データをＰピクチャー（ｐｒｅｄｉｃｔｉｖｅ−ｃｏｄｅｄ ｐｉｃｔｕｒｅ）でＭＰＥＧ２ストリームに符号化する。出力選択部７００７は、タイプ決定部７００３でＩピクチャーが選択された場合、Ｉ符号化部７００５で符号化されたＭＰＥＧ２ストリームを符号化映像データ出力部７００８に出力する。また、出力選択部７００７は、タイプ決定部７００３でＰピクチャーが選択された場合、Ｐ符号化部７００６で符号化されたＭＰＥＧ２ストリームを符号化映像データ出力部７００８に出力する。電源電圧値出力部２００８の電圧決定部２００９は、前記タイプ決定部７００３の決定結果に基づいて設定電圧Ｖｉｎｄｅｘ２０１１を決定する。
【００５３】
図８は、タイプ決定部７００３が、Ｉピクチャー、Ｐピクチャー、Ｐピクチャーの順番に決定した時の、電圧供給装置２０１０と電圧供給端子１００１との間に流れる電流Ｉｄｄ［Ａ］、電圧供給端子１００１の電圧Ｖｄｄ’［Ｖ］、設定電圧Ｖｉｎｄｅｘ２０１１、そして、電圧供給装置２０１０が供給する電圧Ｖｄｄ［Ｖ］を示したグラフである。Ｉピクチャー（Ｆｒａｍｅ＃０）の符号化時の電流Ｉｄｄ０［Ａ］の方が、Ｐピクチャー（Ｆｒａｍｅ＃１，Ｆｒａｍｅ＃２）の符号化時の電流Ｉｄｄ１［Ａ］よりも電流が少ないため、Ｉピクチャー符号化時の電圧降下分Ｖｄｗｎ＿Ｉ［Ｖ］はＰピクチャー符号化時の電圧降下分Ｖｄｗｎ＿Ｐ［Ｖ］よりも小さくなる（Ｖｄｗｎ＿Ｉ＜Ｖｄｗｎ＿Ｐ）。Ｉピクチャー（Ｆｒａｍｅ＃０）の符号化時では、電圧決定部２００９は、電圧供給装置２０１０が供給する電圧Ｖｄｄ［Ｖ］が、動作下限電圧Ｖｍｉｎ［Ｖ］にＩピクチャー符号化時での電圧降下分Ｖｄｗｎ＿Ｉ［Ｖ］を加えた電圧値（Ｖｍｉｎ＋Ｖｄｗｎ＿Ｉ ［Ｖ］）になるように設定電圧Ｖｉｎｄｅｘ２０１１を決定する。また、Ｐピクチャー（Ｆｒａｍｅ＃１，Ｆｒａｍｅ＃２）の符号化時には、電圧決定部２００９は、電圧供給装置２０１０が供給する電圧Ｖｄｄ［Ｖ］が、動作下限電圧Ｖｍｉｎ［Ｖ］にＰピクチャー符号化時での電圧降下分Ｖｄｗｎ＿Ｐ［Ｖ］を加えた電圧値（Ｖｍｉｎ＋Ｖｄｗｎ＿Ｐ ［Ｖ］）になるように設定電圧Ｖｉｎｄｅｘ２０１１を決定する。前記２つの電圧降下分Ｖｄｗｎ＿Ｉ［Ｖ］、Ｖｄｗｎ＿Ｐ［Ｖ］の各値は、常に前記条件を満たし得る値が予め電圧決定部２００９に記録されている。
【００５４】
以上のように、従来の電力制御方式では、常に電圧供給装置が電源電圧Ｖｍｉｎ＋Ｖｄｗｎ＿Ｐ ［Ｖ］供給していたのに対し、本実施形態３の電力制御方式では、Ｉピクチャー符号化時には、電圧供給装置がＶｍｉｎ＋Ｖｄｗｎ＿Ｐ ［Ｖ］よりも低い電圧値Ｖｍｉｎ＋Ｖｄｗｎ＿Ｉ ［Ｖ］を供給する。これにより、消費電力を抑えることができる。
【００５５】
（実施形態４）
図１０を用いて、本実施形態４の映像符号化装置１００００を説明する。尚、図１、図３、図５及び図７と同じ構成については、同じ番号を記載し、その説明を省略する。
【００５６】
遅延部１００２１は、映像データ入力部７００２より入力される映像データを設定時間Ｄだけ遅延させて、入力選択部７００４にその遅延させた映像データを出力する。遅延部１００２２は、タイプ決定部７００３が出力する入力制御信号を設定時間Ｄだけ遅延させて入力選択部７００４に出力する。遅延部１００２３は、タイプ決定部７００３が出力する出力制御信号を設定時間Ｄだけ遅延させて出力選択部７００７に出力する。
【００５７】
図１１を用いて、本実施形態４の電源電圧値出力部５００８内の電圧決定部５００９の動作を説明する。図１１は、Ｆｒａｍｅ＃０、Ｆｒａｍｅ＃１の順番に映像データが映像データ入力部７００２に入力された時の、設定電圧Ｖｉｎｄｅｘ２０１１、電圧供給部２０１０の供給電圧Ｖｄｄ［ｖ］、電圧供給端子１００１の電圧Ｖｄｄ’［Ｖ］、そして、電圧供給部２０１０と電圧供給端子１００１との間に流れる電流Ｉｄｄ［Ａ］の動きを示したものである。この時、タイプ決定部７００３が、入力選択部７００４が最初はＦｒａｍｅ＃０をＩ符号化部７００５に出力するように決定し、次に入力選択部７００４がＦｒａｍｅ＃１をＰ符号化部７００６に出力するように決定したとする。
【００５８】
映像データ入力部１００２と入力選択部７００２との両方に、Ｆｒａｍｅ＃０が入力される時間Ｔ１までの期間では、前記実施形態３の映像符号化装置７０００で説明したように、動作下限電圧Ｖｍｉｎ［Ｖ］にＩピクチャー符号化時での電圧降下分Ｖｄｗｎ＿Ｉ［Ｖ］を加えた電圧値（Ｖｍｉｎ＋Ｖｄｗｎ＿Ｉ ［Ｖ］）が電圧供給部２０１０より供給されるように、電圧決定部５００９は設定電圧Ｖｉｎｄｅｘ２０１１を決定する。
【００５９】
映像データ入力部１００２と入力選択部７００２との両方に、Ｆｒａｍｅ＃１が入力される時間Ｔ２以降の期間では、前記実施形態３の映像符号化装置７０００で説明したように、動作下限電圧Ｖｍｉｎ［Ｖ］にＰピクチャー符号化時での電圧降下分Ｖｄｗｎ＿Ｐ［Ｖ］を加えた電圧値（Ｖｍｉｎ＋Ｖｄｗｎ＿Ｐ［Ｖ］）が電圧供給部２０１０より供給されるように、電圧決定部５００９は電圧供給部２０１０を制御する。
【００６０】
そして、映像データ入力部１００２にＰフレームＦｒａｍｅ＃１が、入力選択部７００２にＦｒａｍｅ＃０が入力される時間Ｔ１〜Ｔ２の期間、すなわち、遅延部１００２１、１００２２、１００２３が遅延させる設定時間Ｄの間では、電圧Ｖｍｉｎ＋Ｖｄｗｎ＿Ｉ ［Ｖ］よりも高く、かつ、電圧Ｖｍｉｎ＋Ｖｄｗｎ＿Ｐ ［Ｖ］）よりも低い電圧Ｖｍｉｎ＋Ｖｄｗｎ＿Ｉ ＋Ｖｕｐ［Ｖ］が電圧供給部２０１０より供給されるように、電圧決定部５００９は設定電圧Ｖｉｎｄｅｘ２０１１を決定する。
【００６１】
次に、電圧供給端子１００１の電圧について説明する。時間Ｔ１までの期間と時間Ｔ２以降の期間では、前記実施形態３の映像符号化装置７０００で説明したように、電圧供給端子１００１の電圧は動作下限電圧Ｖｍｉｎ［Ｖ］となる。また、時間Ｔ１から時間Ｔ２までの期間の電圧供給端子１００１の電圧は、動作下限電圧Ｖｍｉｎ［Ｖ］と同じかそれより高い値になる。
【００６２】
次に、電圧供給部２０１０と電圧供給端子１００１との間に流れる電量Ｉｄｄ［Ａ］について説明する。時間Ｔ１までの期間及び時間Ｔ２以降の期間では、前記実施形態３の映像符号化装置７０００で説明したようにそれぞれ、電流Ｉｄｄ０［Ａ］と電流Ｉｄｄ１［Ａ］とが流れる。時間Ｔ１〜Ｔ２の期間Ｄでは、時間Ｔ１までの期間と同じＩピクチャーの処理をしているが、電圧供給装置２０１０が供給する電圧が電流Ｖｕｐ［Ｖ］分だけ高いため、電流Ｉｄｄ０［Ａ］よりも高く、電流Ｉｄｄ１［Ａ］よりも低い電流Ｉｄｄ２［Ａ］が流れる。２つの電圧降下分Ｖｄｗｎ＿Ｉ［Ｖ］、Ｖｄｗｎ＿Ｐ［Ｖ］の各値は、常に前記条件を満たし得る値が予め電圧決定部５００９に記録されている。
【００６３】
以上のように、本実施形態４の映像符号化装置１００００では、電圧供給端子１００１に流れる電流が、電流Ｉｄｄ２−Ｉｄｄ０［Ａ］と電流Ｉｄｄ１−Ｉｄｄ２［Ａ］と２回に分けて増加する。そのため、一度に電流が電流Ｉｄｄ１−Ｉｄｄ０［Ａ］だけ増加する従来の映像復号化装置に比べて、コンデンサー１００９の容量又は数を少なくすることが可能となる。
【００６４】
（変形例）
前記実施形態２の映像復号化装置では、入力されるデータを遅延させるために、遅延部５０２１、５０２２、５０２３を用いているが、本発明はこれに限るものではない。例えば、符号化映像データ入力部１００２からのデータを一旦メモリに格納した後に入力選択部１００４に出力される構成の場合には、このメモリが遅延部５０２１の機能を果たすなど、遅延部に限らず、入力されるデータを遅延させるものであれば、同様の効果を有する。
【００６５】
また、前記実施形態４の映像符号化装置では、入力されるデータを遅延させるために、遅延部１００２１、１００２２、１００２３を用いているが、これも前記と同様に、遅延部に限らず、メモリなど、入力されるデータを遅延させるものであれば、同様の効果を有する。
【００６６】
更に、前記実施形態２及び４において、期間Ｔ１〜Ｔ２では、２回に分けて電圧を上げているが、本発明はこれに限るものではない。３回以上多段階に、又は連続して電圧を徐々に上げて行く構成であっても良く、同様の効果を有する。
【００６７】
加えて、前記実施形態１及び２の映像復号化装置では、ＰピクチャーのＭＢは全て前方予測で符号化されているとしたが、これに限るものではない。１つ以上のＭＢが前方予測で符号化されていれば、同様の効果を有する。同様に、実施形態３及び４の映像符号化装置についても、ＰピクチャーのＭＢは全て、前方予測で符号化するとしたが、これに限るものではない。１つ以上のＭＢが前方予測で符号化していれば、同様の効果を有する。
【００６８】
また、前記実施形態１及び２の映像復号化装置では、Ｉ復号化部１００５とＰ復号化部１００６とは独立しているが、この形態に限定されるものではない。例えば、Ｉ復号化部１００５とＰ復号化部００６との各復号化動作を１つのプロセッサーで実行する場合でも、同様の効果を有する。同様に、実施形態３及び４の映像符号化装置についても、Ｉ符号化部７００５とＰ符号化部７００６とは独立しているが、この形態に限定されるものではない。例えば、Ｉ符号化部７００５とＰ符号化部７００６との各符号化動作を１つのプロセッサーで実行する場合でも、同様の効果を有する。
【００６９】
更に、前記実施形態１及び３の電圧決定部２００９と前記実施形態２及び４の電圧決定部５００９との制御単位はフレーム単位としたが、これに限るものではない。例えば、ＭＢ単位で動き予測の有無で同様の制御をすることにより、同じ効果を得ることが可能である。
【００７０】
加えて、前記実施形態１及び３の電圧決定部２００９と実施形態２及び４の電圧決定部５００９とは、電圧供給装置２０１０に設定する電圧値Ｖｄｗｎ＿Ｉ［Ｖ］とＶｄｗｎ＿Ｐ［Ｖ］とを予め記録しているとしたが、これに限るものではない。ストリームに含まれる情報に基づいて決定した値や、その他の情報などから前記実施形態に記載した条件を満たす値を用いても、同様の効果を有する。
【００７１】
また、前記実施形態１及び２の復号化装置では、映像符号化データとしてＭＰＥＧ２ストリームを復号化する映像復号化装置について説明したが、これに限るものではない。復号化するストリームが、任意の処理単位を含み、その処理単位で行う処理の種類毎に電圧供給装置と電圧供給端子との間に流れる電流Ｉｄｄ［Ａ］が異なり、かつ、その処理の種類がストリーム内又は外部から与えられるような復号化装置であれば、同様の効果を有する。同様に、実施形態３及び４の符号化装置では、映像符号化データとしてＭＰＥＧ２ストリームに符号化する映像符号化装置について説明をしたが、これに限るものではない。符号化するストリームを任意の処理単位に分割し、その処理単位で行う処理の種類毎に電圧供給装置と電圧供給端子との間に流れる電流Ｉｄｄ［Ａ］が異なり、かつ、その処理の種類がストリーム内又は外部から与えられるような符号化装置であれば、同様の効果を有する。
【００７２】
更に、前記実施形態１及び２の映像復号化装置と前記実施形態３及び４の映像符号化装置とが、その全体又は一部又は複数部が、それぞれ、ひとつ又は複数の半導体装置で構成されていても、同様の効果を有する。
【００７３】
加えて、電流供給を補う手段としてコンデンサーを使用しているが、これに限るものではなく、同様の機能を有する素子や装置を用いても、同様の効果を有するのは勿論である。
【産業上の利用可能性】
【００７４】
以上説明したように、本発明は、実行する処理の種類に応じて電源電圧を設定したので、低消費電力化が可能な半導体集積回路、特に映像復号化装置や映像符号化装置に適用して有用である。
【符号の説明】
【００７５】
１００３  映像復号化装置
１００１  電圧供給端子
１００２  符号化映像データ入力部
１００３  判定部
１００４  入力選択部
１００５  Ｉ復号化部（処理部）
１００６  Ｐ復号化部（処理部）
１００７  出力選択部
１００８  映像データ出力部
１００９  コンデンサ
１０１０  電圧供給装置
２０００  映像復号化装置
２００８  電源電圧値出力部
２００９  電圧決定部
２０１０  電圧供給装置
２０１１  設定電圧Ｖｉｎｄｅｘ
５０００  映像復号化装置
５００８  電源電圧値出力部
５００９  電圧決定部
５０２１、５０２２、５０２３  遅延部
７０００  映像符号化装置
７００２  映像データ入力部
７００３  タイプ決定部（符号化決定部）
７００４  入力選択部
７００５  Ｉ符号化部（処理部）
７００６  Ｐ符号化部（処理部）
７００７  出力選択部
７００８  符号化映像データ出力部
１００００  映像符号化装置
１００２１、１００２２、１００２３  遅延部
【図１】
2013160971.tif 000003
【図２】
2013160971.tif 000004
【図３】
2013160971.tif 000005
【図４】
2013160971.tif 000006
【図５】
2013160971.tif 000007
【図６】
2013160971.tif 000008
【図７】
2013160971.tif 000009
【図８】
2013160971.tif 000010
【図９】
2013160971.tif 000011
【図１０】
2013160971.tif 000012
【図１１】
2013160971.tif 000013
【国際調査報告】
2013160971.tif 000014
2013160971.tif 000015
2013160971.tif 000016
2013160971.tif 000017